(57)【要約】【課題】自動開閉ボックスの提供。【解決手段】自動開閉ボックスは、一底箱、一受盤ユニット、一受盤、一上蓋及び一回転蓋ユニットを含む。そのうち底箱内側は凹んだ納置槽を形成し、その納置槽両側にはそれぞれ電池槽、人に対して感知するセンサーユニット、それらの間に挟持する動力装置を設置する。受盤ユニットと受盤はそれぞれ相互に底箱から着脱し、その上蓋内側には凹陥部を形成し、底端は受盤ユニットと合わせる定位部を具え、その上には一回転蓋ユニットを枢設する。人で感知するセンサーユニットが作用することにより、使用時には動力装置が作動して回転蓋ユニットの可動蓋が反応して回転し、蓋を閉じたり、開いたりする。【選択図】図１
0003132309.tif 000002
【実用新案登録請求の範囲】
【請求項１】
少なくとも一底箱、一受盤ユニット、一受盤、一上蓋、一回転蓋ユニットを含む自動開閉ボックスにおいて、
底箱は、その内側が凹んだ納置槽を形成し、その納置槽底端面片側に電池を置く電池槽を設置し、別側には人が近づくと感知する一センサーユニット、電池槽の側辺に隣り合う動力装置及び一回路板を設置し、動力装置上方に一回転塊を枢設し、
受盤ユニットは底箱から着脱し、且つ納置槽を具えた受盤体を形成し、
受盤は受盤体の納置槽から着脱し、
上蓋はその最上面の凸桿部に対応する位置に開口を設置し、その内側には凹陥部を形成し、底端には受盤ユニットの受盤体と合わせる定位部を具え、
回転蓋ユニットは受盤ユニットと受盤上方の上蓋と枢設し、少なくとも一動力装置の回転塊と枢設する回転桿と、回転桿上方に設置する可動蓋を含み、一端は可動蓋と回転桿に差し込み、凸嵌合部で嵌合組み立てし、
人体をセンサーユニットに近づけて感知させ、使用時には動力装置が動いて回転蓋ユニットの可動蓋を回転させて蓋を閉じたり、開いたりさせることを特徴とする自動開閉ボックス。
【請求項２】
前記底箱は、納置槽の内縁の上端近くに、一個以上の凸塊を設置し、且つその一凸塊上に一掛合塊が伸びることを特徴とする請求項１記載の自動開閉ボックス。
【請求項３】
前記人が近づいて感知するセンサーユニットは、底箱の納置槽上に設置する受信板と、一個以上の凸塊上方に設置する受信フレームを含むことを特徴とする請求項１記載の自動開閉ボックス。
【請求項４】
前記動力装置は少なくとも一箱体、一伝動ユニット及び一蓋体を含み、その箱体内部は第一設置室、第二設置室に仕切り、その第二設置室片側に異なる高さの第一凸桿、第二凸桿及び第三凸桿を設置し、箱体の一対角位置には穿孔を設置し、別の一対角位置には固定孔を設置し、また伝動ユニットは第一設置室のモーター及び第二設置室のギアユニットから形成され、モーターの軸桿が各々第一凸桿、第二凸桿及び第三凸桿上に形成するギアユニットを動かして回転し、蓋体の外形は箱体と同形状で、各端部は箱体の穿孔、固定孔と対応する孔を設置して結合し、その内側には凹んだ納置槽を形成し、その納置槽片側には第一凸桿、第二凸桿及び第三凸桿と対応する複数の桿部を設置し、また第三凸桿と相対する片側にはギアユニットと枢設状態を形成する回転塊を設置することを特徴とする請求項１記載の自動開閉ボックス。
【請求項５】
前記受盤体の納置槽は、凹部を形成し、その外周壁には一個以上の欠切槽を設置し、中央には一中空桿部が伸び、受盤体の底面外縁には底箱に合わさる凸環部を設置し、その凸環部は底箱の掛合塊を合わせる凹槽を設置し、底端面には底箱に固定して対応する桿体を設置することを特徴とする請求項１記載の自動開閉ボックス。
【請求項６】
前記受盤は、受盤体の納置槽内に設置し、最上面は凹んだ納置槽を形成し、その中央には受盤体の桿部を差し込む中空凸桿部を設置することを特徴とする請求項１記載の自動開閉ボックス。
【請求項７】
前記上蓋は、最上面の開口がそれぞれ垂直に対応して設置し、一個以上あることを特徴とする請求項１記載の自動開閉ボックス。
【請求項８】
前記可動蓋は、８の字型で、その両端はそれぞれ一蓋羽が伸び、中央は嵌合孔を設置する凹陥面を形成し、その嵌合孔に嵌合体を具えた凸嵌合部を差し込み、凹陥面と相対する一側面には設置を具えた凸部を設置し、その凸部外縁両側にはそれぞれ相対する二凸体を設置することを特徴とする請求項１記載の自動開閉ボックス。
【請求項９】
前記回転桿は、一端に嵌合孔及び停止孔を設置し、且つ一端に近い桿本体には対応する停止塊を設置し、別に内部停止孔と連通する嵌合孔を設置することを特徴とする請求項１記載の自動開閉ボックス。
【請求項１０】
前記上蓋は、その凸桿部に穿孔を設置し、且つ底部に近い桿本体には対応する円弧形欠切口を設置し、二円弧形欠切口で対応する凸停止塊を設置することを特徴とする請求項１記載の自動開閉ボックス。
【請求項１１】
前記上蓋は、凸桿部の傾斜対角位置の桿体上に軟性パッドをそれぞれ差し込んで設置し、それによって可動蓋の対応する二凸体に当てることを特徴とする請求項１記載の自動開閉ボックス。
【考案の詳細な説明】
【技術分野】
【０００１】
本考案は、自動開閉ボックスに関するものである。
【背景技術】
【０００２】
今日、生活上での物(例として飴、ビスケット類もしくはゴミ…等)は、大きさがそれぞれ異なり片付けにくい。そのため大小の物品が各所に散らかり、大変見苦しく、環境を破壊し美観も悪い。またそれが原因で蚊や細菌等が発生したりする。環境を整理して散らかった物を片付けるために、目下市場では飴、ビスケット類を収納する箱がよく見られる。この箱上方には蓋が設置され、飴やビスケット類を箱内部に収納して密封する。ただ、この箱の中の飴、ビスケット類を取り出したい時には、箱上方の蓋を開けなければならず、大変不便である。また上蓋を使用しない卓上型の小型ゴミ箱にゴミを集めた時、卓上型の小型ゴミ箱はゴミを集めるという効果は得られるが、実際に使用すると、下述の問題がある。
【０００３】
解決しようとする問題は、下述の点である。
１．一般の卓上に蓋のない小型ゴミ箱を置くと、直接手でゴミ箱に入れるが、直接目に触れるため、美観が悪い。また小型ゴミ箱に触れた時に倒れやすい。
２．一般の小型ゴミ箱を卓上に於いてゴミを捨てるが、上蓋が設置されていないので、内容物が外に露出しており、卓上もしくは車内で使用した場合、美観が大変悪く、使用に適さない上に実用効果に制限がある。  
【考案の開示】
【考案が解決しようとする課題】
【０００４】
本考案は、一底箱、一受盤ユニット、一受盤、一上蓋及び一回転蓋ユニットを含む。そのうち底箱内側は凹んだ納置槽を形成し、その納置槽両側にはそれぞれ電池槽、人で感知するセンサーユニット、それらの間に挟持する動力装置を設置する。受盤ユニットと受盤はそれぞれ相互に底箱から着脱し、その上蓋内側には凹陥部を形成し、底端は受盤ユニットと合わせる定位部を具え、その上には一回転蓋ユニットを枢設する。人で感知するセンサーユニットが作用することにより、使用時には動力装置が作動して回転蓋ユニットの可動蓋が反応して回転し、蓋を閉じたり、開いたりすることを最も主要な特徴とする。
【課題を解決するための手段】
【０００５】
請求項１の考案は、少なくとも一底箱、一受盤ユニット、一受盤、一上蓋、一回転蓋ユニットを含む自動開閉ボックスにおいて、
底箱は、その内側が凹んだ納置槽を形成し、その納置槽底端面片側に電池を置く電池槽を設置し、別側には人が近づくと感知する一センサーユニット、電池槽の側辺に隣り合う動力装置及び一回路板を設置し、動力装置上方に一回転塊を枢設し、
受盤ユニットは底箱から着脱し、且つ納置槽を具えた受盤体を形成し、
受盤は受盤体の納置槽から着脱し、
上蓋はその最上面の凸桿部に対応する位置に開口を設置し、その内側には凹陥部を形成し、底端には受盤ユニットの受盤体と合わせる定位部を具え、
回転蓋ユニットは受盤ユニットと受盤上方の上蓋と枢設し、少なくとも一動力装置の回転塊と枢設する回転桿と、回転桿上方に設置する可動蓋を含み、一端は可動蓋と回転桿に差し込み、凸嵌合部で嵌合組み立てし、
人体をセンサーユニットに近づけて感知させ、使用時には動力装置が動いて回転蓋ユニットの可動蓋を回転させて蓋を閉じたり、開いたりさせることを特徴とする自動開閉ボックスとしている。
請求項２の考案は、前記底箱は、納置槽の内縁の上端近くに、一個以上の凸塊を設置し、且つその一凸塊上に一掛合塊が伸びることを特徴とする請求項１記載の自動開閉ボックスとしている。
請求項３の考案は、前記人が近づいて感知するセンサーユニットは、底箱の納置槽上に設置する受信板と、一個以上の凸塊上方に設置する受信フレームを含むことを特徴とする請求項１記載の自動開閉ボックスとしている。
請求項４の考案は、前記動力装置は少なくとも一箱体、一伝動ユニット及び一蓋体を含み、その箱体内部は第一設置室、第二設置室に仕切り、その第二設置室片側に異なる高さの第一凸桿、第二凸桿及び第三凸桿を設置し、箱体の一対角位置には穿孔を設置し、別の一対角位置には固定孔を設置し、また伝動ユニットは第一設置室のモーター及び第二設置室のギアユニットから形成され、モーターの軸桿が各々第一凸桿、第二凸桿及び第三凸桿上に形成するギアユニットを動かして回転し、蓋体の外形は箱体と同形状で、各端部は箱体の穿孔、固定孔と対応する孔を設置して結合し、その内側には凹んだ納置槽を形成し、その納置槽片側には第一凸桿、第二凸桿及び第三凸桿と対応する複数の桿部を設置し、また第三凸桿と相対する片側にはギアユニットと枢設状態を形成する回転塊を設置することを特徴とする請求項１記載の自動開閉ボックスとしている。
請求項５の考案は、前記受盤体の納置槽は、凹部を形成し、その外周壁には一個以上の欠切槽を設置し、中央には一中空桿部が伸び、受盤体の底面外縁には底箱に合わさる凸環部を設置し、その凸環部は底箱の掛合塊を合わせる凹槽を設置し、底端面には底箱に固定して対応する桿体を設置することを特徴とする請求項１記載の自動開閉ボックスとしている。
請求項６の考案は、前記受盤は、受盤体の納置槽内に設置し、最上面は凹んだ納置槽を形成し、その中央には受盤体の桿部を差し込む中空凸桿部を設置することを特徴とする請求項１記載の自動開閉ボックスとしている。
請求項７の考案は、前記上蓋は、最上面の開口がそれぞれ垂直に対応して設置し、一個以上あることを特徴とする請求項１記載の自動開閉ボックスとしている。
請求項８の考案は、前記可動蓋は、８の字型で、その両端はそれぞれ一蓋羽が伸び、中央は嵌合孔を設置する凹陥面を形成し、その嵌合孔に嵌合体を具えた凸嵌合部を差し込み、凹陥面と相対する一側面には設置を具えた凸部を設置し、その凸部外縁両側にはそれぞれ相対する二凸体を設置することを特徴とする請求項１記載の自動開閉ボックスとしている。
請求項９の考案は、前記回転桿は、一端に嵌合孔及び停止孔を設置し、且つ一端に近い桿本体には対応する停止塊を設置し、別に内部停止孔と連通する嵌合孔を設置することを特徴とする請求項１記載の自動開閉ボックスとしている。
請求項１０の考案は、前記上蓋は、その凸桿部に穿孔を設置し、且つ底部に近い桿本体には対応する円弧形欠切口を設置し、二円弧形欠切口で対応する凸停止塊を設置することを特徴とする請求項１記載の自動開閉ボックスとしている。
請求項１１の考案は、前記上蓋は、凸桿部の傾斜対角位置の桿体上に軟性パッドをそれぞれ差し込んで設置し、それによって可動蓋の対応する二凸体に当てることを特徴とする請求項１記載の自動開閉ボックスとしている。
【考案の効果】
【０００６】
本考案の自動開閉ボックスは、下述の利点がある。
底箱内側に凹んだ納置槽を形成し、両側に各々電池槽、人が接近すると感知するセンサーユニットを設置し、またその間に動力装置を挟んで設置する。そのため、使用時にはセンサーユニットが感知して動力装置が作動し、回転蓋ユニットの可動蓋が回転して移動し、開閉する。
自動開閉箱は卓上もしくは車内で使用できるので、使用者の用途により、自在に使用して便利性を高める。
自動開閉箱は、異なる容量で使用する時、底箱上に於いて受盤ユニット上方の受盤を相互に取り外し、受盤ユニットの納置空間を拡げ、物の出し入れがしやすく実用性が高まる。  
【考案を実施するための最良の形態】
【０００７】
本考案の自動開閉箱は、人体が近づくと感知するセンサーユニットにより、使用時には動力装置が動き、回転蓋ユニットの可動蓋を回転させて開閉するので、卓上もしくは車内で物の出し入れが便利である。
【０００８】
図１、２及び図３に示すとおり、本考案の自動開閉箱は、少なくとも一底箱１０、一受盤ユニット２０、一受盤２２、一上蓋３０及び一回転蓋ユニット３５を含む。そのうち、
この底箱１０は、内側に凹んだ納置槽１１を成形し、その納置槽１１端面片側には電池１２１を入れる電池槽１２を具え、別側に分布した数本の凸桿１１１、１１２上には人の体の一部を近づけるセンサーユニット１３の受信板１３１、一動力装置１４及び回路板１５をまとめて固定し、納置槽１１内縁近くの上端には一個以上の凸塊１１３を設置する。更にその一凸塊１１３上には一掛合塊１１３０が伸び、人体で感知するセンサーユニット１３の受信フレーム１３２に設置することにより、それと対応する掛合槽１３２１と合わさり、受信フレーム１３２を底箱１０の納置槽１１上に定位する。
【０００９】
図２に示すとおり、動力装置１４は、一箱体１４１、一伝動ユニット１４２を含む。そのうち、箱体１４１内部は、第一設置室１４１１、第二設置室１４１２に分かれ、第二設置室１４１２の片側には異なる高さの第一凸桿１４１３、第二凸桿１４１４及び第三凸桿１４１５が設置され、その箱体１４１の一対角位置には穿孔１４１６が設置され、別の一対角位置には固定孔１４１７が設置される。伝動ユニット１４２は、第一設置室１４１１に設置するモーター１４２１と、第二設置室１４１２に設置するギアユニット１４２３で構成され、モーター１４２１の軸桿１４２２が第一凸桿１４１３、第二凸桿１４１４及び第三凸桿１４１５上に形成されたギアユニット１４２３をそれぞれ動かして回転させる。蓋体１４３の外形は、箱体１４１と同じ形状で、各端部には箱体１４１の穿孔１４１６、固定孔１４１７と対応する孔１４３１が成形され、例としてネジ等の固定部品１４３０を蓋体１４３の孔１４３１に差し込んで、底箱１０の凸桿１１１上で固定する。この蓋体１４３内側には凹部を形成する納置槽１４３２が形成され、その納置槽１４３２の一側面には第一凸桿１４１３、第二凸桿１４１４及び第三凸桿１４１５と対応する複数の桿部１４３３が成形され、第三凸桿１４１５と相対する一側面にはギアユニット１４２３と枢設状態で形成する回転塊１４３４が設置される。
【００１０】
受盤ユニット２０は、底箱１０と着脱可能な受盤体２１を成形し、そのうち受盤体２１最上面には凹んだ納置槽２１１を形成し、その外周壁には一個以上の欠切槽２１２を設置し、その中央には蓋体１４３上方の回転塊１４３４を入れるための中空桿部２１３を具える。この受盤体２１底面外縁には底箱１０に嵌め込む凸環部２１４が成形され、その凸環部２１４には底箱１０の掛合塊１１３０を嵌め込む凹槽２１５を設置し、底端面上には底箱１０に固定する桿体２１６を設置する。
【００１１】
受盤２２外形は、受盤体２１の納置槽２１１上に嵌め込み、その最上面には凹んだ納置槽２２１を形成し、その中央には受盤体２１中空桿部２１３を嵌め込む中空２２３を具えた凸桿部２２２が設置される。
【００１２】
上蓋３０は、受盤ユニット２０上に嵌合し、最上面には開口３０１が成形され、その内側には凹陥部３１が形成され、底端縁には受盤ユニット２０の受盤体２１に合わさる定位部３２を具える。中央下向きには穿孔３３１を具えた凸桿部３３が伸び、斜め対角位置には軟性パッド３４２を設置する桿体３４の孔３４１が設置され、凸桿部３３の底部の桿体近くには対応する円弧形欠切口３３２を設置し、その二円弧形欠切口３３２によって凸停止塊３３３を対応して挟持設置する。  
【００１３】
回転蓋ユニット３５は、受盤ユニット２０と受盤２２上方の上蓋３０と枢設し、少なくとも一回転桿３５０、一可動蓋３６及び一凸嵌合部３７を含み、そのうち、回転桿３５０一端は嵌合孔３５１及び停止孔３５２を設置し、片端に近い桿自身には停止塊３５３を対応して設置する。この二停止塊３５３は凸桿部３３の円弧形欠切口３３２内を反復回転移動し、二凸停止塊３３３と相互に掛合し、別端内部には停止孔３５２に連通する嵌合孔３５４を設置し、その嵌合孔３５４内に回転塊１４３４を嵌合して組み合わせる。可動蓋３６は、回転桿３５０上方に枢設し、図の実施例に示すとおり、８の字型とし、その両端は一蓋羽３６０がそれぞれ伸び、中央に嵌合孔３６１を具えた凹陥面３６２を成形する。また凹陥面３６２と相対する一側面には設置室３６３の凸部３６４を設置し、その凸部３６４の設置室３６３内に回転桿３５０一端を入れて嵌合し、その凸部３６４外縁両側には各々に相対する二凸体３６５、３６６を設置し、その斜め対角の二凸体３６５、３６６を上蓋３０の斜め対角の軟性パッド３４２の左右側に各々当て、伝動ユニット１４２が伝動して可動蓋３６両端の蓋羽３６０を上蓋３０に対して垂直に対応する開口３０１上方に移動して開く（もしくは閉じる）動作を行う（図６，７参照）。この凸嵌合部３７一端の嵌合体３７１は可動蓋３６中央の嵌合孔３６１及び回転桿３５０一端の嵌合孔３５１に差し込み、その凸嵌合部３７外形は、ユーザーの求めに応じ、その場に適した効果を具えた花、動物等物件を設置する。
【００１４】
前述の上蓋３０最上面には、一個以上の開口３０１を設置し、図に示す実施例に於いて、開口３０１はそれぞれ垂直対応させて設置する。
実際に使用する時（使用者の異なる用途に応じ、卓上もしくは車内に設置する）、図３、４及び図５に示すとおり、人の手部４０を自動開閉箱に近づけると、人体の接近にセンサーユニット１３が反応し、動力装置１４の伝動ユニット１４２が動き、ギアユニット１４２３を回転させる。同時に動力装置１４上方の上蓋３０最上面に枢設した可動蓋３６が回転移動し、可動蓋３６が感知すると、元々対応した開口３０１上方を上蓋３０最上面が垂直で閉じていたものが回転して開いた状態になり（図６，７参照）、可動蓋３６は開口３０１箇所に対して垂直を形成し、受盤ユニット２０の受盤２２内の内容物（本考案では飴５０を置いて実施例とする）を取り出す。手部４０が自動開閉箱から離れると、底箱１０内部の回路板１５に対して可動蓋３６の開示数秒後に蓋が閉じる設定であるため、蓋が閉じた状態に戻り、卓上もしくは車内のどの位置でも物の出し入れの便利性を高める。
【００１５】
本考案の自動開閉箱の受盤２２は使用する内容物の多少に対応して使用し、また受盤２２を受盤体２１上方から直接取り出し、受盤体２１を単独で使用し、受盤ユニット２０を増やして受盤体２１の納置空間を拡げ、自動開閉箱から物の出し入れがしやすくなり、且つ便利性が高まり、また用途が広がる。  
【図面の簡単な説明】
【００１６】
【図１】本考案の立体分解図である。
【図２】本考案の底箱及び動力装置の立体分解図である。
【図３】本考案の組立断面図である。
【図４】本考案の伝動ユニットの伝動概略図である。
【図５】本考案に手を近づける動作概略図である。
【図６】本考案の可動蓋の蓋が合わさった状態平面図である。
【図７】本考案の可動蓋の開いた状態平面図である。
【符号の説明】
【００１７】
１０        底箱
１１        納置槽
１１１        凸桿
１１２        凸桿
１１３        凸塊
１１３０        掛合塊
１２        電池槽
１２１        電池
１３        センサーユニット
１３１        受信板
１３２        受信フレーム
１３２１        掛合槽
１４        動力装置
１４１        箱体
１４１１        第一設置室
１４１２        第二設置室
１４１３        第一凸桿
１４１４        第二凸桿
１４１５        第三凸桿
１４１６        穿孔
１４１７        固定孔
１４２        伝動ユニット
１４２１        モーター
１４２２        軸桿
１４２３        ギアユニット
１４３        蓋体
１４３０        固定部品
１４３１        孔
１４３２        納置槽
１４３３        桿部
１４３４        回転塊
１５        回路板
２０        受盤ユニット
２１        受盤体
２１１        納置槽
２１２        欠切槽
２１３        中空桿部
２１４        凸環部
２１５        凹槽
２１６        桿体
２２        受盤
２２１        納置槽
２２２        凸桿部
２２３        中空
３０        上蓋
３０１        開口
３１        凹陥部
３２        定位部
３３        凸桿部
３３１        穿孔
３３２        円弧形欠切口
３３３        凸停止塊
３４        桿体
３４１        孔
３４２        軟性パッド
３５        回転蓋ユニット
３５０        回転桿
３５１        嵌合孔
３５２        停止孔
３５３        停止塊
３５４        嵌合孔
３６        可動蓋
３６０        蓋羽
３６１        嵌合孔
３６２        凹陥面
３６３        設置室
３６４        凸部
３６５        凸体
３６６        凸体
３７        凸嵌合部
３７１        嵌合体
４０        手部
５０        飴
【図１】
0003132309.tif 000003
【図２】
0003132309.tif 000004
【図３】
0003132309.tif 000005
【図４】
0003132309.tif 000006
【図５】
0003132309.tif 000007
【図６】
0003132309.tif 000008
【図７】
0003132309.tif 000009